(57)【特許請求の範囲】
【請求項１】
両側の支柱のスリットに係合する第１係合片を備える共に、両側の支柱のスリットに支持される一対のブラケット間に差し渡しで取り付けられる棚板本体と、
該棚板本体上、前後方向における所定のストローク間を移動自在に取り付けられるスライド棚板と、を備えることを特徴とするスライド式商品陳列棚。
【請求項２】
前記棚板本体の上面又は前記スライド棚板の裏面のいずれか一方又は双方に滑り部材を付設したことを特徴とする請求項１記載のスライド式商品陳列棚。
【請求項３】
前記ブラケットの基部上面に棚板本体の後側を挟持する爪部を附設したことを特徴とする請求項１記載のスライド式商品陳列棚。
【請求項４】
前記棚板本体の両側に、前記スライド棚板のスライド移動をガイドするガイド片を設け、前記ブラケットの爪部は該ガイド片の後側を挟持することを特徴とする請求項３記載のスライド式商品陳列棚。
【請求項５】
前記滑り部材は、棚板本体の上面前方の両側及び前記スライド棚板の裏面後方の両側に、スライド方向において互いが対向するようにそれぞれ付設されることを特徴とする請求項１記載のスライド式商品陳列棚。
【請求項６】
該棚板本体と該スライド棚板の間に位置し、該棚板本体に固定され、且つスライド棚板をスライド自在に支持するスライド棚板支持具を、更に設け、前記スライド棚板支持具の上面又は前記スライド棚板の裏面のいずれか一方又は双方に滑り部材を付設したことを特徴とする請求項１記載のスライド式商品陳列棚。
【請求項７】
該スライド棚板支持具は、該支柱のスリットに係合する第１係合片及び該棚板本体に係合する第２係合片を、更に備えるものであることを特徴とする請求項６記載のスライド式商品陳列棚。
【請求項８】
該スライド棚板支持具は、該棚板本体の左右両側にそれぞれ取り付けられるものであることを特徴とする請求項６記載のスライド式商品陳列棚。
【請求項９】
該滑り部材は、スライド棚板支持具の上面前方及び前記スライド棚板の裏面後方の両側に、スライド方向において互いが対向するようにそれぞれ付設されることを特徴とする請求項６記載のスライド式商品陳列棚。
【請求項１０】
該スライド棚板の上面に、陳列商品の前方移動を円滑にする滑り部材を付設したものであることを特徴とする請求項１記載のスライド式商品陳列棚。
【請求項１１】
前記滑り部材が、ローラ部材であることを特徴とする請求項１０記載のスライド式商品陳列棚。
【発明の詳細な説明】
【技術分野】  本発明は、スーパーなどで使用される新しい商品の補充を容易にするスライド式商品陳列棚に関するものである。
【背景技術】  スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。まして、ゴンドラ式陳列棚の中間棚においては、上下の棚板間隔が狭く、手が奥まで入れ難く更にこれらの作業を困難なものとしている。
登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。
しかしながら、この新器具は、中継具の中に回転車を組み込んでいるなど構造が複雑であり、製造コストが高い。更に必ずしも既設の商品陳列棚に後付で適用できるものではないという問題がある。
従って、本発明の目的は、ゴンドラ式陳列棚において、奥にある商品を手前に移し易く、新しい商品の補充を容易にするスライド式商品陳列棚を提供することにあり、また、本発明の他の目的は、スライド棚板を引き出した際に重心が前方にかかってもあおられることがないスライド式商品陳列棚を提供することにある。
【発明の開示】
すなわち、本発明は、両側の支柱のスリットに支持される一対のブラケット間に差し渡しで取り付けられる棚板本体と、該棚板本体上、前後方向における所定のストローク間を移動自在に取り付けられるスライド棚板と、を備えることを特徴とするスライド式商品陳列棚を提供するものである。
また、本発明は、該棚板本体と該スライド棚板の間に位置し、該棚板本体に固定され、且つスライド棚板をスライド自在に支持するスライド棚板支持具を、更に設け、前記スライド棚板支持具の上面又は前記スライド棚板の裏面のいずれか一方又は双方に滑り部材を付設したスライド式商品陳列棚を提供するものである。
本発明によれば、既設のゴンドラ式陳列棚の棚板本体に簡易な構造のスライド棚板支持具を取り付けるか、あるいはブラケット間に差し渡しで棚板本体を取り付け、更にその上にスライド棚板を載せるだけで容易に組立てできる。また、使用に際しては、従来、大変であった前出しなどの作業を、スライド棚板を手前に引き出し、奥にある商品を前出し、奥のスペースに新たな商品を補充し、次いでスライド棚板を押して元の位置に戻すという簡易な操作で容易に行うことができる。更に滑り部材の作用により一層作業性が高まる。また、スライド棚板を引き出した際に重心が前方にかかってもあおられることがない。また、奥にある商品の前方移動が円滑になる。
【図面の簡単な説明】  第１図は、第１の実施の形態例に係るスライド式商品陳列棚の分解斜視図であり、第２図は、第１図で用いるスライド棚板の裏面斜視図であり、第３図は、本例のスライド式商品陳列棚の使用状態を説明する図であり、第４図は、本例のスライド式商品陳列棚の使用状態を説明する図であり、第５図は、スライド棚板の動きを説明する上から見た図であり、第６図は、第１の実施の形態例に係るスライド式商品陳列棚の変形例の斜視図であり、第７図は、第２の実施の形態例に係るスライド式商品陳列棚の分解斜視図であり、第８図は、第７図のスライド式商品陳列棚の組み付け状態の斜視図であり、第９図は、第２の実施の形態例に係るスライド式商品陳列棚の変形例の斜視図であり、第１０図は、第３の実施の形態例に係るスライド式商品陳列棚の分解斜視図であり、第１１図は、第１の実施の形態例に係るスライド式商品陳列棚の他の変形例の斜視図である。
【発明を実施するための最良の形態】本発明の第１の実施の形態におけるスライド式商品陳列棚について第１図〜第５図を参照して説明する。第１図は第１の実施の形態例のスライド式商品陳列棚の分解斜視図、第２図は第１図で用いるスライド棚板の裏面斜視図、第３図及び第４図は本例のスライド式商品陳列棚の使用状態を説明する図、第５図はスライド棚板の動きを説明する上から見た図である。なお、図中、符号Ｘは手前（前方）側を示し、符号Ｙは後方側を示す。また、「前」は顧客側、「後」は支柱側を言う。また、第５図において、実線はスライド棚板移動前の状態であり、二点鎖線は手前に移動させた後の状態である。
本実施の形態例に係るスライド式商品陳列棚１０は、両側の支柱ｂ、ｂのスリットｄに支持されるブラケットｃ、ｃ間に差し渡しで取り付けられる棚板本体１２と、棚板本体１２上、前後方向における所定のストローク間を移動自在に取り付けられるスライド棚板１１を備えるものである。
ブラケットｃは公知のブラケットが使用でき、例えばブラケット基部１３２の後端に支柱ｂ、ｂのスリットｄに係合する係止片１３３を備えるものが挙げられる。
棚板本体１２は、ブラケットｃ、ｃに支持されるとともに、スライド棚板１１を前後方向に移動自在となるように支持するものであり、支柱のスリットｄに係合する第１係合片１２２、１２２、その両側縁に附設されるスライド棚板１１がルーズに嵌め込まれるガイド片１２４、１２４及び上面の前方部の両側に付設されるローラー部材１２６、１２６（第１滑り部材）を少なくとも備えるものである。第１係合片１２２、１２２を支柱のスリットｄに係合することにより、スライド棚板１１を手前に引いた際、棚板本体１２が持ち上げられる現象（あおり現象）を防止する。
棚板本体１２に付設されるローラー部材１２６は、多数の円筒コロを縦列配置したものを横に多数列で配置した公知のものが使用できる。また、ローラー部材１２６は棚板本体１２の上面の全面に付設されるものであっても、上面における図示以外の一部の場所に付設されたものであってもよい。ローラー部材１２６の配置形態はスライド棚板１１のローラー部材１１４の配置形態との関係で適宜決定される。また、滑り部材は、ローラー部材以外に、滑り面を有する樹脂部材などであってもよい。
スライド棚板１１は、裏面の一部に付設されるローラー部材１１４（第２滑り部材）を備えると共に、棚板本体１２上、前後方向における所定のストロークｓ間（第５図参照）を移動自在に取り付けられる。ローラー部材１１４は本例ではスライド棚板１１の裏面後方両側であって、スライド方向におけるローラー部材１２６に対向する位置に付設されると共に、スライド棚板１１の裏面中央にも付設される。スライド棚板１１の裏面後方両側であって、スライド方向におけるローラー部材１２６に対向する位置にローラー部材１１４を付設することにより、組み付け状態からスライド棚板１１を手前に距離ｓ引き出すと、ローラー部材１１４とローラー部材１２６が当接し、スライド棚板１１の前方への移動を規制することになる。
スライド棚板１１には、スライド棚板本体１１１の前方端に上面から下方に屈曲して延出する前方板１１２が付設されている。前方板１１２は使用の際、手前に引き出されたスライド棚板１１を元に戻す際、既存の陳列棚の前方縁に当るストッパーの役目をするものである。また、スライド棚板本体１１１の上面であって、スライド棚板本体１１１と前方板１１２の境界部分には、横溝１１３が形成されている。この横溝１１３には陳列商品がスライド棚板１１から転落することを防止する前方商品転落防止板、あるいは該前方商品転落防止板のＰＯＳレールを付設することができる（不図示）。また、スライド棚板１１の後方端には、後方商品転落防止板１１５が付設されている。
スライド棚板１１の裏面に付設されるローラー部材１１４は、多数の円筒コロを縦列配置したものを横に多数列で配置した公知のものが使用できる。また、後方両側の左右のローラー部材１１４は図示されるように間引かれたものではなく、連続したものであってもよい。また、滑り部材は、ローラー部材以外に、滑り面を有する樹脂部材などであってもよい。
本例の実施の形態例に係るスライド式商品陳列棚１０を組み付ける方法としては、例えば既設のゴンドラ式商品陳列棚において、両支柱ｂのスリットｄにブラケットｃを嵌め込む。次いでブラケットｃ、ｃに差し渡しで棚板本体１２を組み込む。その際、棚板本体１２のガイド片１２４、１２４の後側に付設された第１係合片１２２を支柱ｂのスリットｄに差し込む。次いで、スライド棚板１１を、スライド棚板１１の左右の両側縁が棚板本体１２のガイド片１２４にそれぞれ嵌るように、棚板本体１２の前方から入れ込み、スライド棚板１１を棚板本体１２上にしっかりと組み込む。
このようにして形成されたスライド式商品陳列棚１０は、第３図及び第４図に示すように、陳列商品を前出しする際、あるいは前出しに伴い奥のスペースに新たな商品を補充する場合、次ぎのように操作される。すなわち、先ず商品スライド棚板１１を手前に引き出す。これにより奥の商品が前出し易くなる。次いで、奥にある商品Ａを前出し、奥のスペースに新たな商品を補充し、次いでスライド棚板１１を押して元の位置に戻す。スライド式商品陳列棚１０におけるスライド棚は、滑り部材の作用によりその作業が容易である。
また、第１の実施の形態例におけるスライド式商品陳列棚１０の変形例としては、スライド棚板の上面に、陳列商品の前方移動を円滑にする多数の円筒コロを付設したものが挙げられる（第６図）。これによれば、作業者による奥にある商品の前方移動が円滑になる。スライド式商品陳列棚１０ａにおいて、多数の円筒コロは、本例においては、６つの板状パーツからなり、１つのパーツ１６には多数の円筒コロを縦列配置したものを横に３列で中央に付設すると共に、不図示の商品仕切り板が係合する千鳥状の係合穴１６２、１６３を前後に形成したものである。また、第１１図に示すように、陳列面は前方に下り傾斜であってもよい。多数の円筒コロが付設された陳列面を前方下り傾斜としておけば、商品陳列形態において、常に陳列商品が前出し状態にあり、整然とした陳列を演出できる。また、スライド棚板の上面に付設される滑り部材は、ローラー部材以外に、滑り面を有する樹脂部材などであってもよい。なお、符号１１９は商品が前方へ転落することを防止する前方板である。
また、本例のスライド式商品陳列棚１０の変形例としては、滑り部材を棚板本体１２の上面１２３又はスライド棚板１１の裏面のいずれか一方に付設する形態例が挙げられる。この場合、スライド棚板１１を引き出す際、棚板本体１２から外れないように、スライド棚板１１の裏面又は棚板本体１２の上面の適宜の箇所に例えばストロークｓ以上の前方移動を規制する係止片などを設ければよい。
次に、本発明の第２の実施の形態におけるスライド式商品陳列棚について第７図及び第８図を参照して説明する。第７図及び第８図において、第１図と同一構成要素には同一符号を付してその説明を省略し、異なる点について主に説明する。すなわち、第２の実施の形態のスライド式商品陳列棚１０ｂにおいて、第１の実施の形態例のスライド式商品陳列棚１０と異なる点は、ブラケット１３、１３の形態及びブラケット１３、１３間に差し渡しで取り付けられる棚板本体の係合形態である。
ブラケット１３、１３は公知のブラケットの基部１３２の後方上面に前方に開口を有する鉤状の爪部１３１を設けたものである。爪部１３１は棚板本体１２ｃの後側縁部を挟持することにより、スライド棚板１１を手前に引いた際、棚板本体１２ｃが持ち上げられる現象（あおり現象）を防止する。本例においては、爪部１３１は棚板本体１２ｃの両側のガイド片１２４の後側１２７を挟持する。爪部１３１とガイド片１２４の後側１２７の挟持は、僅かの遊びがある挟持形態とすることが、あおり現象を防止するとともにスライド棚板１１が取り付け易い点で好ましい。
なお、棚板本体１２ｃをブラケット１３、１３に固定する方法としては、鉤状の爪部１３１に限定されず、例えば、ブラケット１３、１３の上縁に切り欠き部を、棚板本体１２ｃの裏面に該切り欠き部に係合する係合突起をそれぞれ設け、切り欠き部と係合突起との係合により固定する方法が挙げられる。
本例の実施の形態例に係るスライド式商品陳列棚１０ｂを組み付ける方法としては、例えば既設のゴンドラ式商品陳列棚において、既設ブラケットを特定構造のブラケット１３に交換する。すなわち、両支柱ｂのスリットｄにブラケット１３を嵌め込む。次いでブラケット１３、１３に差し渡しで棚板本体１２ｃを組み込む。その際、棚板本体１２ｃのガイド片１２４、１２４の後側１２７をブラケットｃの爪部１３１が挟持するようにする。次いで、スライド棚板１１を、スライド棚板１１の左右の両側縁が棚板本体１２ｃのガイド片１２４にそれぞれ嵌るように、棚板本体１２ｃの前方から入れ込み、スライド棚板１１を棚板本体１２ｃ上にしっかりと組み込む。
このようにして形成されたスライド式商品陳列棚１０ｂにおいて、陳列商品を前出しする操作、あるいは前出しに伴い奥のスペースに新たな商品を補充する操作は、スライド式商品陳列棚１０における操作と同様である。
また、第２の実施の形態例におけるスライド式商品陳列棚１０ｂの変形例としては、スライド式商品陳列棚１０ａと同様に、スライド棚板の上面に、陳列商品の前方移動を円滑にする多数の円筒コロを付設したものが挙げられる（第９図）。
次に、本発明の第３の実施の形態におけるスライド式商品陳列棚について第１０図を参照して説明する。第１０図において、第１図と同一構成要素には同一符号を付してその説明を省略し、具なる点について主に説明する。すなわち、第３の実施の形態のスライド式商品陳列棚１０ｅにおいて、第１の実施の形態例のスライド式商品陳列棚１０と異なる点は、棚板本体ｅとスライド棚板１１の間に位置し、棚板本体ｅに固定され、且つスライド棚板１１をスライド自在に支持するスライド棚板支持具１２ｄ、１２ｄを、更に設け、記スライド棚板支持具１２ｄ、１２ｄの上面又は記スライド棚板の１１裏面のいずれか一方又は双方に滑り部材を付設した点にある。
すなわち、第３の実施の形態例に係るスライド式商品陳列棚１０ｅは、支柱ｂ、ｂのスリットｄに支持されるブラケットｃ、ｃ間に差し渡しで取り付けられる棚板本体ｅを上下複数段備える既設の商品陳列棚ａの少なくとも１つの棚板本体ｅに取り付けられるものであって、互いに左右対称の部材である一組のスライド棚板支持具１２ｄ、１２ｄと、スライド棚板１１を備える。
スライド棚板支持具１２ｄ、１２ｄは、支柱ｂのスリットｄに係合する第１係合片１２２と、棚板本体ｅに係合する第２係合片１２１と、前方側の上面１２３に付設されるローラー部材１２６（第１滑り部材）とを備え、棚板本体ｅの左右両側にそれぞれ取り付けられる。第１係合片１２２は、スライド棚板１１を手前に引いた際、既設の棚板本体ｅごと持ち上げられる現象（あおり現象）を防止するものであり、スライド棚板支持具１２ｄの上面の後方外側端に逆Ｌ字形状で立設されるものである。第２係合片１２１は、主に棚板本体ｅに対してスライド棚板支持具１２ｄが前方に移動または外れることを防止するものであり、コ字状断面の係合片である。
スライド棚板支持具１２ｄは、更に、前方端において上面から下方へ屈曲して延出する第３係合片１２５と、側端の一部の縁において上面から下方へ屈曲して延出する第４係合片１２７と、側端において上面から上方へ屈曲し、更に屈曲してコ字形状断面を呈するガイド片１２４を備える。第３係合片１２５は主に棚板本体ｅに対してスライド棚板支持具１２ｄが後方側に移動または外れることを防止するものである。第４係合片１２７は主にスライド棚板支持具１２ｄの取り付け位置を定めると共に、スライド棚板支持具１２ｄが棚板本体ｅの中央側に移動することを防止する。また、ガイド片１２４はスライド棚板１１の横ずれを防止する。
スライド棚板支持具１２ｄに付設されるローラー部材１２６は、多数の円筒コロを縦列配置したものを横に多数列で配置した公知のものが使用できる。また、ローラー部材１２６はスライド棚板支持具１２ｄの上面の全面に付設されるものであっても、上面における図示以外の一部の場所に付設されたものであってもよい。ローラー部材１２６の配置形態はスライド棚板１１のローラー部材１１４の配置形態との関係で適宜決定される。また、滑り部材は、ローラー部材以外に、滑り面を有する樹脂部材などであってもよい。また、スライド棚板支持具１２ｄは、本例では左右２つの部材から構成されるが、例えば第１図に示す一対のスライド棚板支持具１２間が連続する一体ものであってもよい。この場合、スライド棚板支持具１２ｄは第１の実施の形態例のスライド式陳列棚１０で用いる棚板本体１２と実質的に同じ機能を奏するものとなる。
第３の実施の形態例に係るスライド式商品陳列棚１０ｅを組み付ける方法としては、例えば既設のゴンドラ式商品陳列棚において、ブラケットｃから陳列本体ｅを取り外し、先ず陳列本体ｅの両側からスライド棚板支持具１２ｄをルーズ気味に組み込む。欠いでスライド棚板１１をスライド棚板支持具１２ｄ上に置き、スライド棚板１１の左右の両側縁がスライド棚板支持具１２ｄのガイド片１２４にそれぞれ嵌るように、スライド棚板支持具１２ｄをしっかりと組み込む。陳列本体ｅ、スライド棚板支持具１２ｄ及びスライド棚板１１の組み付け体は、陳列本体ｅをブラケットｃに嵌め込むことで、既設のゴンドラ式商品陳列棚に組み込まれる。
このようにして形成されたスライド式商品陳列棚１０ｅにおいて、陳列商品を前出しする操作、あるいは前出しに伴い奥のスペースに新たな商品を補充する操作は、スライド式商品陳列棚１０と同様であるので、その説明を省略する。
【産業上の利用可能性】  本発明のスライド式商品陳列棚は、スーパーなどで使用される新しい商品の補充を容易にする商品陳列棚として用いられる。
【図１】
0004761366.tif 000002
【図２】
0004761366.tif 000003
【図３】
0004761366.tif 000004
【図４】
0004761366.tif 000005
【図５】
0004761366.tif 000006
【図６】
0004761366.tif 000007
【図７】
0004761366.tif 000008
【図８】
0004761366.tif 000009
【図９】
0004761366.tif 000010
【図１０】
0004761366.tif 000011
【図１１】
0004761366.tif 000012